(57)【特許請求の範囲】
【請求項１】
ネットワークを構成する通信線から取り込まれた電文信号を入力として対応する機器への制御信号を生成出力する制御信号生成手段と、前記対応する機器から取り込んだ状態信号を入力として前記通信線に送出する電文信号を生成する電文信号生成手段と、試験モードと通常モードのいずれかの運転モードが設定される運転モード信号保持手段とを有し、前記電文信号生成手段は、前記運転モード信号保持手段に設定されている運転モードと同じ運転モードを表す信号を生成した電文信号に付加し、前記制御信号生成手段は、前記通信線から取り込んだ電文信号の中から前記運転モード信号保持手段に設定されている運転モードと同じ運転モードを表す信号が付加されている電文信号を入力として選択し、試験モードと通常モードのいずれかの運転モードで動作する伝送制御装置において、
前記運転モードを表す信号が、電文信号の送信元を示す送信元伝送制御装置アドレスであり、この送信元伝送制御装置アドレスは、前記運転モード信号保持手段に設定された運転モードが通常モードであるときと試験モードであるときで異なるアドレスであることを特徴とする伝送制御装置。
【請求項２】
電文信号が流れる通信線で形成されたネットワークと、それぞれ伝送制御装置を介して前記ネットワークに接続された複数の機器とを含み、前記伝送制御装置が、前記通信線から取り込んだ電文信号を入力としてそれぞれ接続された前記機器への制御信号を生成し出力するとともに、それぞれ接続された前記機器から取り込んだ状態信号を入力として電文信号を生成し前記通信線に送出するネットワーク制御システムにおいて、
前記伝送制御装置が、請求項１に記載の伝送制御装置であることを特徴とするネットワーク制御システム。
【発明の詳細な説明】
【発明の属する技術分野】
【０００１】
本発明は、ネットワークに接続されてそれぞれ対応する機器を制御する伝送制御装置とこの伝送制御装置を備えたネットワーク制御システムに係り、特に、ネットワーク制御システムを運用しながら伝送制御装置を試験する技術に関する。
【従来の技術】
【０００２】
一般に鉄道分野においては、駅構内および沿線に、閉そく装置，信号機，踏切などの現場機器が多数設置されている。これらの現場機器は伝送制御装置を介してネットワークに接続され、相互に関連付けて制御されている。
【０００３】
伝送装置や現場機器の試験技術として、特開２０００−１５９１０７号公報に示されているように、伝送装置に現場機器が接続されていなくても、模擬データを端末装置から伝送装置に送り、伝送装置と現場機器との間の試験をする技術が知られている。
【発明が解決しようとする課題】
【０００４】
しかし、特開２０００−１５９１０７号公報記載の技術では、ある伝送装置と現場機器との間の試験をする場合、この試験が、ネットワークを介して、試験対象ではなく通常運用している伝送装置や現場機器に影響を及ぼす問題が考えられる。
【０００５】
つまり、ある伝送装置と現場機器との間の試験をする時、関連する他の運用中の現場機器からの情報が、その現場機器に接続された伝送装置を介して、ネットワークに送り込まれ、送り込まれた情報がネットワークから試験中の伝送装置に取り込まれるとその情報が試験に影響を与えることになる。また、試験対象の現場機器から出力された情報が、その現場機器に接続された伝送装置を介して、ネットワークに送り込まれ、関連する他の運用中の現場機器に入力され、運用中の現場機器が誤作動を起こすという問題がある。
【０００６】
なお、上述の伝送装置は、単なる情報の伝送だけでなく、情報の加工、つまり受信した信号に応じて、接続された現場機器に対する制御信号を生成し出力する場合もあるので、以下の説明では、伝送制御装置として説明する。
【０００７】
本発明の目的は、伝送制御装置を介して複数の機器を接続したネットワーク制御システムにおいて、試験対象の機器または伝送制御装置が運用中の他の機器の影響を受けないようにするとともに、試験対象の機器が運用中の他の機器に影響を与えないで試験できるようにすることである。
【課題を解決するための手段】
【０００８】
本発明は、上記目的を達成するために、ネットワークを構成する通信線から取り込まれた電文信号を入力として対応する機器への制御信号を生成出力する制御信号生成手段と、前記対応する機器から取り込んだ状態信号を入力として前記通信線に送出する電文信号を生成する電文信号生成手段と、試験モードと通常モードのいずれかの運転モードが設定される運転モード信号保持手段とを有し、前記電文信号生成手段は、前記運転モード信号保持手段に設定されている運転モードと同じ運転モードを表す信号を生成した電文信号に付加し、前記制御信号生成手段は、前記通信線から取り込んだ電文信号の中から前記運転モード信号保持手段に設定されている運転モードと同じ運転モードを表す信号が付加されている電文信号を入力として選択し、試験モードと通常モードのいずれかの運転モードで動作する伝送制御装置において、前記運転モードを表す信号が、電文信号の送信元を示す送信元伝送制御装置アドレスであり、この送信元伝送制御装置アドレスは、前記運転モード信号保持手段に設定された運転モードが通常モードであるときと試験モードであるときで異なるアドレスである伝送制御装置を提案する。
【０００９】
本発明は、また、電文信号が流れる通信線で形成されたネットワークと、それぞれ伝送制御装置を介して前記ネットワークに接続された複数の機器とを含み、前記伝送制御装置が、前記通信線から取り込んだ電文信号を入力としてそれぞれ接続された前記機器への制御信号を生成し出力するとともに、それぞれ接続された前記機器から取り込んだ状態信号を入力として電文信号を生成し前記通信線に送出するネットワーク制御システムにおいて、前記伝送制御装置が、異なるアドレスを用いる前記伝送制御装置であるネットワーク制御システムを提案する。
【００１０】
上記問題点は、ネットワークに、試験に使用される信号と通常運用に使用される信号が混在して流れることに起因する。
【００１１】
そこで、発明者等は、試験に使用される信号と通常運用に使用される信号を区分けできるようにし、試験中の伝送制御装置は試験に使用される信号として区別される信号をネットワークに送受信し、通常運用中の伝送制御装置は通常運用に使用される信号として区別される信号をネットワークに送受信するようにした。
【００１２】
すなわち、伝送制御装置に運転モードの種別を設定できるようにし、ネットワークに流れる電文信号に送信元伝送制御装置の運転モードを識別する信号を付加し、各伝送制御装置は、自己に設定された運転モードを表す信号が付加された電文信号を入力として対応する機器への制御信号を生成し出力し、ネットワークに送出する電文信号には、自己に設定された運転モードを表す信号を付加する。
【発明の実施の形態】
【００１３】
次に、図１および図２を参照して、本発明による伝送制御装置とネットワーク制御システムの実施形態を説明する。
【実施形態１】
【００１４】
図１は、本発明によるネットワーク制御システムの実施形態１の系統構成を示す図である。本実施形態１は、鉄道における閉そく装置，信号機，踏切等からなる現場機器１１〜１５が、各々伝送制御装置１〜５を介してネットワーク２０に順次接続されてネットワーク制御システムを構成している。また、伝送制御装置５に接続してモニタ端末１０が設けられ、操作者は、このモニタ端末１０から各伝送制御装置１〜５の運転状況の監視および運転モードの設定，試験をする。伝送制御装置１〜５は、モニタ端末１０により通常モードと試験モードのいずれかの運転モードに設定される。
【００１５】
このネットワーク制御システムは、次のように動作する。各伝送制御装置はネットワーク２０に流れている電文信号の中から自分宛の電文信号を受信し、接続されている現場機器への制御信号に変換して現場機器に出力する。各現場機器は、入力される制御信号に従って動作し、機器によっては動作結果を示す信号を出力する。伝送制御装置は、現場機器から動作結果を示す信号を受け取り、定められた形式の電文信号を生成してネットワーク２０に送出する。現場機器には、制御信号によって動作するのではなく、何かの状態、例えば踏切の障害物の有無を検出するセンサのようなものも含まれる。伝送制御装置は、このような現場機器の場合には、現場機器から障害物の有無を示す信号を受け取り、定められた形式の電文信号を生成してネットワーク２０に送出する。
【００１６】
つまり、各伝送制御装置は、ネットワーク２０から自分宛の情報を取出して現場機器を制御するとともに、ネットワーク２０に他の伝送制御装置宛の情報を送出しており、ある伝送制御装置がネットワーク２０に送出した情報が、他の現場機器の動作に影響を与えるような場合もある。
【００１７】
伝送制御装置１〜５の構成は同一であるから、伝送制御装置１を例にとってその構成を説明する。伝送制御装置１は、ネットワーク２０の通信線に接続されたネットワーク電文受信手段(以下、ネットワーク電文受信機能という)３１と、ネットワーク電文受信機能３１に接続された制御信号生成手段(以下、電文選択編集機能という)３３と、電文選択編集機能３３に接続された現場機器出力手段(以下、現場機器出力機能という)３６と、現場機器１１の信号出力端に接続された現場機器入力手段(以下、現場機器入力機能という)３７と、現場機器入力機能３７に接続された電文信号生成手段(以下、ネットワーク電文生成機能という)３５と、入力側をネットワーク電文生成機能３５と前記ネットワーク電文受信機能３１に接続され出力側をネットワーク２０の通信線に接続されたネットワーク電文送信手段(以下、ネットワーク電文送信機能という)３２と、前記電文選択編集機能３３およびネットワーク電文生成機能３５に接続された運転モード信号保持手段(以下、運転モード設定機能という)３４とを含んで構成されている。
【００１８】
現場機器出力機能３６の出力側は現場機器１１の信号入力端に接続され、ネットワーク電文送信機能３２の出力側はネットワーク２０に接続されている。
【００１９】
伝送制御装置５には、モニタ端末１０が接続されているが、ネットワーク電文送信機能３２の出力側とネットワーク２０との間に設けられた入出力接続端子に接続されていて、伝送制御装置５の内部構成には無関係になっている。この入出力接続端子を設ける伝送制御装置は１台に限定する必要はなく、各伝送制御装置に設けておき、必要に応じて移設するようにしてもよい。なお、この入出力接続端子は、モニタ端末１０が接続されているときは、伝送制御装置５から出力される電文信号は、モニタ端末１０を経由してネットワーク２０に送出され、モニタ端末１０が接続されていないときは、そのままネットワーク２０に送出される。
【００２０】
なお、本実施形態１においては、ネットワーク２０は、図１に示すように、上流側の伝送制御装置のネットワーク電文送信機能３２の出力側と下流側の伝送制御装置のネットワーク電文受信機能３１の入力側を接続する通信線で形成され、全体としてリング状になっている。
【００２１】
図２は、本実施形態１においてネットワークに流れる電文信号４０の構成を示す図である。電文信号４０は、送信元伝送制御装置アドレス４１、運転モードフラグ４２および現場機器入力情報４３で構成されている。
【００２２】
送信元伝送制御装置アドレス４１は、送信元の伝送制御装置を識別する情報で、伝送制御装置１〜５に対して個々に独立である。本実施形態１では、伝送制御装置１〜５に対するアドレスの値を１〜５としてある。
【００２３】
運転モードフラグ４２は、伝送制御装置の運転モードを表す情報で、値は０と１である。値１は送信元伝送制御装置の運転モードが試験モードであることを表し、値０は運転モードが通常モードであることを表す。
【００２４】
現場機器入力情報４３は、各伝送制御装置が現場機器から入力した状態情報である。
【００２５】
ネットワークに流れる電文信号４０は、ネットワークに接続されている伝送制御装置の数だけあり、複数の電文信号がネットワーク上を周期的に流れる。
【００２６】
先に述べたように、伝送制御装置の運転モードは、モニタ端末１０からネットワークに送出される制御信号で、任意の１個または複数の伝送制御装置の運転モードの種別を通常モードまたは試験モードに設定される。この場合、モニタ端末１０から送出される制御信号により、運転モード設定機能３４が保持している運転モード信号が、通常モードを示す“０”または試験モードを示す“１”に書換えられる。つまり、運転モード設定機能３４は、常に、通常モードを示す“０”または試験モードを示す“１”の運転モード信号を保持している。
【００２７】
ネットワーク電文受信機能３１は、ネットワーク２０の電文信号を受信し、電文選択編集機能３３に伝達すると同時に、受信した電文信号の送信元伝送制御装置アドレスが自伝送制御装置でない電文信号を選別し、ネットワーク電文送信機能３２に出力する。
【００２８】
電文選択編集機能３３は、受信した電文信号(ネットワーク入力情報：ＮＩ)から現場機器制御に必要な情報を選択・編集し、現場機器出力機能３６に出力する。
【００２９】
現場機器出力機能３６は、電文選択編集機能３３から出力される情報を制御出力情報(ディジタル出力情報：ＤＯ)として現場機器１１に出力する。
【００３０】
現場機器入力機能３７は、現場機器１１の状態情報(ディジタル入力情報：ＤＩ)を取り込み、ネットワーク電文生成機能３５に出力する。
【００３１】
ネットワーク電文生成機能３５は、現場機器入力機能３７から入力される信号を入力としてネットワークに送信する電文信号(ネットワーク出力情報：ＮＯ)を生成して編集し、ネットワーク電文送信機能３２に出力する。
【００３２】
ネットワーク電文送信機能３２は、ネットワーク電文生成機能３５から出力された電文信号およびネットワーク電文受信機能３１から転送された電文信号をネットワーク２０に送出する。
【００３３】
運転モード設定機能３４は、運転モード信号を保持し、保持している運転モード信号と合致する運転モードフラグの電文信号が電文選択編集機能３３で入力として選択されるように、電文選択編集機能３３を制御するとともに、ネットワーク電文生成機能３５で生成される電文信号の運転モードフラグが保持している運転モード信号と合致するように、ネットワーク電文生成機能３５を制御する。
【００３４】
なお、モニタ端末１０は、伝送制御装置５から送出される全ての電文信号を取り込み、送信元伝送制御装置アドレスが自端末ではない電文信号については、ネットワーク２０に戻す。また、運転モードフラグがいずれの運転モードを示す電文信号であっても、両方を区別して表示できる。
【００３５】
以下、伝送制御装置１を例にして、ネットワークに接続されている全ての伝送制御装置の運転モードが通常モード時の動作を説明する。
【００３６】
伝送制御装置１は、現場機器入力機能３７により現場機器１１の状態情報(ディジタル入力情報：ＤＩ)を取り込み、ネットワーク電文生成機能３５によりネットワークに送信する電文信号(ネットワーク出力情報：ＮＯ)を生成し編集して、ネットワーク電文送信機能３２により周期的にネットワーク２０に送信する。ネットワーク電文生成機能３５における電文信号生成の際、通常モードを示す“０”の運転モード信号を保持している運転モード設定機能３４の制御により、生成される電文信号(ＮＯ)の運転モードフラグ４２の値は、値０に設定される。
【００３７】
伝送制御装置１から送信された電文信号はネットワーク２０に接続されている全ての伝送制御装置を通って送信元の伝送制御装置１に戻る。
【００３８】
伝送制御装置１のネットワーク電文受信機能３１は、伝送制御装置１〜５の送信する電文信号をネットワーク２０から受信し、電文選択編集機能３３に伝達する。電文選択編集機能３３は受信した電文信号(ネットワーク入力情報：ＮＩ)から現場機器制御に必要な情報を選択・編集し、現場機器出力機能３６により現場機器１１に制御出力情報(ディジタル出力情報：ＤＯ)を出力する。電文選択編集機能３３による電文信号選択の際、運転モード設定機能３４により運転モードフラグ４２の値が０(＝通常モード)の電文信号を選択するよう制御される。
【００３９】
また、ネットワーク電文受信機能３１が受信した電文信号のうち、送信元伝送制御装置アドレスが自伝送制御装置のアドレスではない電文信号はネットワーク電文送信機能３２にも送られ、ネットワーク電文送信機能３２はそれをネットワーク２０に再送信する。送信元伝送制御装置アドレスが自伝送制御装置のアドレスである電文信号は、ネットワーク電文送信機能３２には送られず、ネットワーク２０から消去される。
【００４０】
次に、伝送制御装置１と現場機器１１との間の接続試験をする時の動作を説明する。伝送制御装置１と現場機器１１との間の接続試験をする場合、モニタ端末１０から伝送制御装置１に対して、運転モードを試験モードに設定する。この操作により、運転モード設定機能３４が保持している運転モード信号は試験モードを示す“１”に書換えられる。次いで、モニタ端末１０から試験用の電文信号がネットワーク２０に送信される。この電文信号も、図２で説明した電文信号と同様の構成であり、モニタ端末１０としてのアドレス(例えば６)を持ち、運転モードフラグ４２の値は試験モードを示す１としてある。
【００４１】
伝送制御装置１の運転モードが試験モードの場合でも、伝送制御装置１はネットワーク２０に流れている電文信号、つまり伝送制御装置１〜５が送信した電文信号を受信している。
【００４２】
しかし、電文選択編集機能３３は、電文信号選択の際、運転モード信号が試験モードを示す“１”となっている運転モード設定機能３４により、運転モードフラグ４２の値が１(＝試験モード)の電文信号のみを選択するよう制御されるから、ネットワーク２０から受信した運転モードフラグ４２の値が０(＝通常モード)の電文信号、すなわち、他の伝送制御装置から送信された電文信号の情報は現場機器への制御出力には使用されない。
【００４３】
他の伝送制御装置から送信された電文信号は、そのまま、ネットワーク電文受信機能３１からネットワーク電文送信機能３２へ転送され、ネットワーク２０の通信線へ戻される。
【００４４】
したがって、通常運用中の他の現場機器からの情報は、伝送制御装置１と現場機器１１との間の接続試験に影響を与えない。
【００４５】
また、伝送制御装置１から送信された電文信号の運転モードフラグ４２は、ネットワーク電文生成機能３５による電文信号編集の際、運転モード設定機能３４により運転モードフラグの値が１(＝試験モード)に設定される。
【００４６】
これにより、伝送制御装置１から送信された電文信号を他の伝送制御装置で受信しても、他の伝送制御装置の運転モードが通常モードなので、受信した他の伝送制御装置の電文選択編集機能３３による現場機器制御情報編集の際には、伝送制御装置１から受信した電文信号は現場機器への出力には使用しない。但し、運転モードフラグ４２の値が１であっても、送信元伝送制御装置のアドレスが自伝送制御装置のアドレスでない場合は、受信した電文信号は、ネットワーク電文受信機能３１からネットワーク電文送信機能３２へそのまま送られ、ネットワーク２０へ再送信される。
【００４７】
したがって、伝送制御装置１と現場機器１１との間の試験が、通常運用している他の現場機器に影響を与えることは避けられる。
【００４８】
また、試験結果は、試験対象の伝送制御装置からネットワーク２０に送信される電文信号を、モニタ端末１０で見ることで確認できるので、試験結果の良否も判定できる。
【００４９】
次に、現場機器１２の入力情報を使って現場機器１１を制御する試験について説明する。
【００５０】
モニタ端末１０から伝送制御装置１と伝送制御装置２に対して、運転モードを試験モードに設定する。この操作により、伝送制御装置１と伝送制御装置２の運転モード設定機能３４の運転モード信号は、いずれも試験モード“１”に書換えられる。他の伝送制御装置は全て、通常モードとする。
【００５１】
この結果、伝送制御装置２のネットワーク電文生成機能３５は、ネットワーク２０に送出する電文信号生成の際、試験モードに設定された運転モード設定機能３４に制御され、電文信号に付加する運転モードフラグ４２を１(＝試験モード)にする。伝送制御装置３〜５からネットワーク２０に送出される電文信号は、伝送制御装置３〜５がいずれも通常モードに設定されているから、運転モードフラグ４２は、いずれも０(＝通常モード)となっている。
【００５２】
一方、伝送制御装置１は、受信した電文信号(ＮＩ)から現場機器１１に必要な情報(制御信号)を生成し編集するときに、試験モードに設定された運転モード設定機能３４に制御され、通信線から取り込んだ電文信号のうち、運転モードフラグ４２の値が１の電文信号のみを選択し、選択した電文信号を入力として制御信号を生成し編集する。
【００５３】
したがって、伝送制御装置１は、ネットワーク２０から取り込んだ電文信号のうち、伝送制御装置２からネットワーク２０に送信された電文信号に基づいて現場機器１１に必要な情報(制御信号)を生成し編集し、伝送制御装置３〜５から送信された電文信号は伝送制御装置１では使用されない。なお、伝送制御装置１からネットワーク２０に送信される電文信号の運転モードフラグ４２の値は、伝送制御装置２からネットワーク２０に送信される電文信号と同じく、１(＝試験モード)に設定される。
【００５４】
そして、伝送制御装置３〜５がネットワーク２０から取り込んだ電文信号に基づいて現場機器に出力する情報(制御信号)を生成し編集するときは、電文信号の運転モードフラグ４２の値が通常モードを示す０に設定された電文信号のみを使用するから、伝送制御装置１と伝送制御装置２から送信された電文信号は、伝送制御装置３〜５では使用されない。
【００５５】
したがって、現場機器１１と現場機器１２との間の試験は、通常運用中の現場機器の影響を受けず、かつ、通常運用中の現場機器に影響を与えるおそれがない。
【実施形態２】
【００５６】
次に、本発明の実施形態２を説明する。実施形態２が前記実施形態１と相違するのは、各伝送制御装置からネットワーク２０に送出される電文信号において、前記実施形態１では送信元伝送制御装置のアドレスと運転モードフラグの二つを付加するのに対し、実施形態２では、送信元伝送制御装置のアドレスのみとした点である。
【００５７】
すなわち、本実施形態２では、各伝送制御装置に、通常モードで電文信号を生成した場合に付与するアドレス１〜５と、試験モードで電文信号を生成した場合に付与するアドレス２１〜２５の２種類のアドレスが設定される。モニタ端末１０のアドレスは、通常モードで電文信号を生成した場合に付与するアドレス６と、試験モードで電文信号を生成した場合に付与するアドレス２６の２種類のアドレスが設定される。
【００５８】
運転モード設定機能３４は、運転モード信号として、通常モードの場合“Ａ”、試験モードの場合“ＡＡ”が設定される。
【００５９】
伝送制御装置１が通常モードのとき、すなわち運転モード設定機能３４に運転モード信号として“Ａ”が設定されているときには、運転モード設定機能３４の制御により、ネットワーク電文生成機能３５による電文信号編集の際、送信元伝送制御装置アドレスとして１桁のアドレス１が電文信号に付与され、かつ電文選択編集機能３３は入力として送信元アドレスが１桁の電文信号を選択する。
【００６０】
伝送制御装置１が試験モードのとき、すなわち運転モード設定機能３４に運転モード信号として“ＡＡ”が設定されているときには、運転モード設定機能３４の制御により、ネットワーク電文生成機能３５による電文信号編集の際、送信元伝送制御装置アドレスとして２桁のアドレス２１が電文信号に付与され、かつ電文選択編集機能３３は入力として送信元アドレスが２桁の電文信号を選択する。
【００６１】
以下、伝送制御装置１が試験モードに設定され、伝送制御装置２〜５が通常モードに設定されている状態でモニタ端末による試験がなされるとして説明する。伝送制御装置１のネットワーク電文受信機能３１は、受信した電文信号を電文選択編集機能３３に送る。受信した電文信号の送信元伝送制御装置アドレスが自伝送制御装置のアドレス(１または２１)以外のものについては、同時にネットワーク電文送信機能３２にも送り、ネットワーク電文送信機能３２は送られてきた電文信号をネットワーク２０に再送信する。送信元伝送制御装置アドレスが自伝送制御装置のアドレス(１または２１)である電文信号は、ネットワーク電文送信機能３２に送られず、ネットワーク２０から消去される。
【００６２】
電文選択編集機能３３は受信した電文信号(ネットワーク入力情報：ＮＩ)から現場機器制御に必要な情報を選択・編集し、現場機器出力機能３６により現場機器１１に制御出力情報(ディジタル出力情報：ＤＯ)を出力する。ネットワーク２０から受信した通常モードの他の伝送制御装置から送信された電文信号の送信元伝送制御装置アドレスは、２〜５(１桁)であり、運転モード設定機能３４の運転モード信号は試験モード(２桁)に設定されているため、電文選択編集機能３３による電文信号選択の際、運転モード設定機能３４により送信元伝送制御装置アドレスの値が２桁の２２〜２６(＝試験モード)の電文信号を選択するよう制御される。すなわち、他の伝送制御装置から通常モードで送信された電文信号(送信元伝送制御装置アドレスの値が２〜５の電文信号)の情報は現場機器への制御出力には使用されず、ネットワーク電文受信機能３１からネットワーク電文送信機能３２へそのまま送られる。電文選択編集機能３３は、モニタ端末１０から送信された、送信元伝送制御装置アドレスが２桁の電文を選択して現場機器への制御信号を生成する。
【００６３】
したがって、通常運用中の他の現場機器からの情報は、伝送制御装置１と現場機器１１との間の接続試験に影響を与えない。
【００６４】
現場機器１１から伝送制御装置１への信号出力があった場合は、現場機器入力機能３７により現場機器１１の状態情報(ディジタル入力情報：ＤＩ)を取り込み、ネットワーク電文生成機能３５によりネットワークに送信する電文信号(ネットワーク出力情報：ＮＯ)を生成し編集して、ネットワーク電文送信機能３２により周期的にネットワーク２０に送信する。ネットワーク電文生成機能３５における電文信号生成の際、運転モード設定機能３４からの制御により、生成される電文信号の送信元伝送制御装置アドレスは、２桁の２１(＝試験モード)に設定される。
【００６５】
これにより、伝送制御装置１から送信される電文信号を他の伝送制御装置で受信しても、他の伝送制御装置の運転モードが通常モードであり、受信した電文信号の送信元伝送制御装置アドレスは、送信元が試験モードであることを表示しているから、受信した他の伝送制御装置の電文選択編集機能３３による現場機器制御情報編集の際には、当該伝送制御装置の運転モード設定機能３４の制御により、伝送制御装置１から受信した電文信号は現場機器への出力には使用されない。したがって、試験モードの伝送制御装置からネットワークに送出される情報は、通常モードで運転中の伝送制御装置と現場機器に影響を与えることがない。
【００６６】
なお、上記実施形態では、運転モード設定機能３４が保持する運転モード信号を“Ａ”，“ＡＡ”として説明し、送信元伝送制御装置アドレスを１桁または２桁とする例を示したが、要は運転モード設定機能３４が保持する運転モード信号の種別に応じて、ネットワーク電文生成機能３５が生成する電文信号の送信元伝送制御装置アドレスが設定され、同様に運転モード設定機能３４が保持する運転モード信号の種別に対応する送信元伝送制御装置アドレスを備えた電文信号を電文選択編集機能３３が入力として選択すればよい。
【発明の効果】
【００６７】
本発明によれば、各伝送制御装置に通常モードまたは試験モードのいずれかの運転モードが設定され、運転モードが異なる伝送制御装置間では、電文信号を送受信しない。例えば通常モードの伝送制御装置から送信された電文信号は運転モードが試験モードである伝送制御装置には取り込まれないし、逆に運転モードが試験モードの伝送制御装置から送信された電文信号は運転モードが通常モードである伝送制御装置には取り込まれない。したがって、通常モードで運用する伝送制御装置と試験モードで運用する伝送装置の双方がネットワークに接続された状態で、試験モードで運用する伝送制御装置と機器との間の試験をしても、試験対象の機器が通常モードで運用中の機器の状態の影響を受けることがなく、また、試験対象の機器が通常モードで運用中の機器の制御に影響を与えるおそれもない。
【図面の簡単な説明】
【００６８】
【図１】本発明によるネットワーク制御システムの実施形態１の系統構成を示す図である。
【図２】実施形態１において、ネットワークに流れる電文信号の構成を示す図である。
【符号の説明】
【００６９】
１〜５  伝送制御装置１〜５
１０  モニタ端末
１１〜１５  現場機器
２０  ネットワーク
３１  ネットワーク電文受信機能
３２  ネットワーク電文送信機能
３３  電文選択編集機能
３４  運転モード設定機能
３５  ネットワーク電文生成機能
３６  現場機器出力機能
３７  現場機器入力機能
【図１】
0003598415.tif 000002
【図２】
0003598415.tif 000003